(57)【特許請求の範囲】
【請求項１】
建物の屋根の開口に開閉可能な天窓の蓋体が設けられており、
前記天窓の蓋体は、設備用パネルであり、該設備用パネルの表面が開閉前後に略同じ角度を保って前記開口に形成される開口面に略直交する方向に開閉可能な開閉装置を備え、
前記天窓の蓋体である前記設備用パネルの表面は、該設備用パネルと同一種類の前記屋根に設けられた他の設備用パネルの表面と略同じ角度とされているとともに、
前記開閉装置は、一端部で前記開口の内側面に回転自在に連結される第１アーム部材と、一端部で前記開口の内側面に回転自在且つ直動自在に連結されると共に中間部で前記第１アーム部材の中間部に回転自在に連結される第２アーム部材と、一端部で前記第１アーム部材に回転自在に連結される起動アームと、前記起動アームの他端部が回転自在に連結される回転体と、該回転体を回転させる回転源と、前記開口が閉鎖された状態で前記設備用パネル又は前記第２アーム部材の他端部に係合されると共に前記回転源による前記回転体の回転に起因しない前記開口の閉鎖を解除する前記第２アーム部材の一端部を中心とした回転を禁止する禁止機構とを備えていることを特徴とする建物の屋根構造。
【請求項２】
前記設備用パネルは、太陽電池モジュールパネルであることを特徴とする請求項１に記載の建物の屋根構造。
【請求項３】
前記設備用パネルは、緑化パネルであることを特徴とする請求項１に記載の建物の屋根構造。
【請求項４】
前記設備用パネルは、防火パネルであることを特徴とする請求項１に記載の建物の屋根構造。
【請求項５】
前記設備用パネルは、内部水貯留パネルであることを特徴とする請求項１に記載の建物の屋根構造。
【請求項６】
前記内部水貯留パネルは、透明又は半透明のケーシング内に無色又は色付きの水を密閉したものであることを特徴とする請求項５に記載の建物の屋根構造。
【発明の詳細な説明】
【技術分野】
【０００１】
本発明は、建物の屋根の開口に開閉可能な天窓が設けられた建物の屋根構造に関するものである。
【背景技術】
【０００２】
従来から、建物の屋根に太陽電池モジュールパネルなどの設備用パネルを設置した屋根構造は、広く実施されている。
【０００３】
また、こうした設備用パネルを設置した屋根に天窓を設けた屋根構造も知られている（例えば、特許文献１等を参照）。
【先行技術文献】
【特許文献】
【０００４】
【特許文献１】特許第２５５９１８６号公報
【発明の概要】
【発明が解決しようとする課題】
【０００５】
しかしながら、特許文献１のような従来の建物の屋根構造では、屋根の天窓を除いた部分にのみ太陽電池パネルなどの設備用パネルを設置していたため、換気のために開閉可能な天窓も設けたいが、できるだけ屋根全体を有効利用したいという需要者のニーズに応えられないでいたのが実情である。
【０００６】
そこで、本発明は、開閉可能な天窓を設けて換気が行えるうえに、できるだけ屋根全体を有効利用することができる建物の屋根構造を提供することを目的としている。
【課題を解決するための手段】
【０００７】
前記目的を達成するために、本発明の建物の屋根構造は、建物の屋根の開口に開閉可能な天窓が設けられており、前記天窓は、設備用パネルが設けられており、該設備用パネルの表面が開閉前後に略同じ角度を保って前記開口に形成される開口面に略直交する方向に開閉可能な開閉装置を備えていることを特徴とする。
【０００８】
ここで、前記開閉装置は、一端部で前記開口の内側面に回転自在に連結される第１アーム部材と、一端部で前記開口の内側面に回転自在且つ直動自在に連結されると共に中間部で前記第１アーム部材の中間部に回転自在に連結される第２アーム部材と、一端部で前記第１アーム部材に回転自在に連結される起動アームと、前記起動アームの他端部が回転自在に連結される回転体と、該回転体を回転させる回転源と、前記開口が閉鎖された状態で前記設備用パネル又は前記第２アーム部材の他端部に係合されると共に前記回転源による前記回転体の回転に起因しない前記開口の閉鎖を解除する前記第２アーム部材の一端部を中心とした回転を禁止する禁止機構とを備えているとよい。
【０００９】
また、前記設備用パネルは、太陽電池モジュールパネルであってもよい。
【００１０】
さらに、前記設備用パネルは、緑化パネルであってもよい。
【００１１】
また、前記設備用パネルは、防火パネルであってもよい。
【００１２】
さらに、前記設備用パネルは、内部水貯留パネルであってもよい。
【発明の効果】
【００１３】
このような本発明の建物の屋根構造は、建物の屋根の開口に開閉可能な天窓が設けられており、天窓は、設備用パネルが設けられており、設備用パネルの表面が開閉前後に略同じ角度を保って開口に形成される開口面に略直交する方向に開閉可能な開閉装置を備えた構成とされている。
【００１４】
こうした構成なので、開閉可能な天窓を設けて換気が行えるうえに、天窓にも設備用パネルが設けられているため、できるだけ屋根全体を有効利用することができる。
【００１５】
ここで、開閉装置は、一端部で開口の内側面に回転自在に連結される第１アーム部材と、一端部で開口の内側面に回転自在且つ直動自在に連結されると共に中間部で第１アーム部材の中間部に回転自在に連結される第２アーム部材と、一端部で第１アーム部材に回転自在に連結される起動アームと、起動アームの他端部が回転自在に連結される回転体と、回転体を回転させる回転源と、開口が閉鎖された状態で設備用パネル又は第２アーム部材の他端部に係合されると共に回転源による回転体の回転に起因しない開口の閉鎖を解除する第２アーム部材の一端部を中心とした回転を禁止する禁止機構とを備えている場合は、天窓の設備用パネルが開閉前後に略同じ角度を保つように開閉可能なのは勿論、閉鎖時に設備用パネルが設けられた天窓をしっかりと保持でき、それ故に、バタツキをなくし得、異音の発生をなくすことができる。
【００１６】
また、設備用パネルは、太陽電池モジュールパネルである場合は、天窓にも太陽電池モジュールパネルが設けられているので、その分多くの面積で太陽光発電を行うことができ、そのうえ、開放時にも、太陽電池モジュールパネルの表面の角度が略同じなので、受ける太陽光の角度は略同じであり、屋根に設置された他の太陽電池モジュールパネルと略同じ発電効率を保つことができる。
【００１７】
さらに、設備用パネルは、緑化パネルである場合は、天窓にも緑化パネルが設けられているので、その分多くの面積で屋上緑化を行うことができ、そのうえ、開放時にも、緑化パネルの表面の角度が略同じなので、受ける太陽光の角度は略同じであり、屋根に設置された他の緑化パネルと略同じ育成状態を保つことができる。
【００１８】
また、設備用パネルは、防火パネルである場合は、天窓にも防火パネルが設けられているので、その分多くの面積で屋根に防火性能を持たせることができる。
【００１９】
さらに、設備用パネルは、内部水貯留パネルである場合は、天窓にも内部水貯留パネルが設けられているので、その分多くの面積で屋根に意匠的美観を持たせることができる。
【図面の簡単な説明】
【００２０】
【図１】実施例１の建物の屋根構造を備えた建物の概略構成を説明する説明図である。
【図２】実施例１の天窓における開閉装置の概略構成を説明する説明図である。
【図３】実施例１の天窓における開閉装置の要部を説明する説明図である。
【図４】実施例１の天窓における開閉装置の要部を説明する説明図である。
【図５】実施例１の天窓における開閉装置の要部の動作を説明する説明図である。
【図６】実施例１の天窓の開放状態を示す説明図である。
【図７】実施例１の天窓における制御を説明するブロック図である。
【図８】実施例２の建物の屋根構造を備えた建物の概略構成を説明する説明図である。
【図９】実施例３の建物の屋根構造を備えた建物の概略構成を説明する説明図である。
【図１０】実施例４の建物の屋根構造を備えた建物の概略構成を説明する説明図である。
【発明を実施するための形態】
【００２１】
以下、本発明を実施するための形態を、図面に示す実施例１〜４に基づいて説明する。
【実施例１】
【００２２】
先ず、実施例１について説明する。
【００２３】
図１は、実施例１の建物の屋根構造を備えた建物Ｂ１の概略構成を示している。
【００２４】
まず、このような建物Ｂ１は、図１に示したように、屋根Ｙ１に、設備用パネルとしての太陽電池モジュールパネルＰ１０，・・・が設置されている。
【００２５】
そして、その中央部に天窓Ｍ１が設けられている。
【００２６】
この天窓Ｍ１は、開閉装置１によって開閉可能な設備用パネルとしての太陽電池モジュールパネルＰ１が設けられており、閉鎖状態では、他の太陽電池モジュールパネルＰ１０，・・・と表面の角度が略同一とされている。
【００２７】
また、太陽電池モジュールパネルＰ１は、開放状態としても、二点鎖線で示したように、他の太陽電池モジュールパネルＰ１０，・・・と表面の角度が略同一とされている。
【００２８】
すなわち、この開閉装置１は、太陽電池モジュールパネルＰ１の表面が開閉前後に略同じ角度を保って開口２に形成される開口面に略直交する方向に開閉可能なものである。
【００２９】
この開閉装置１の具体的な構成については以下に説明する。
【００３０】
図２〜図４は、この開閉装置１の概略構成を説明するための説明図である。
【００３１】
この開閉装置１は、開口２の内側面を形成する矩形状の天窓枠体５と設備用パネルとしての太陽電池モジュールパネルＰ１との間に設けられている。
【００３２】
ここで、天窓枠体５は、角筒状の外枠１１と、外枠１１の一方の壁部１２に取付けられた取付け枠１３と、取付け枠１３に取付けられている軸支持部材１４，１５及びレール部材１６とを備えている。
【００３３】
設備用パネルとしての太陽電池モジュールパネルＰ１は、本体部１７と、本体部１７の一方の壁部１８に取付けられている取付け具１９と、本体部１７に取付けられていると共にレール部材１６と同様のレール部材２０とを備えている。
【００３４】
そして、開閉装置１は、第１アーム部材２６と、第２アーム部材３８と、起動アーム４２と、回転体４５と、回転源としての電動モータ４６と、禁止機構４８と、補助エアーシリンダ装置５６とから主に構成されている。
【００３５】
ここで、第１アーム部材２６は、一端部２２では軸支持部材１４及び軸支持部材１４に支持された軸部材２３を介して天窓枠体５の取付け枠１３に軸部材２３を中心とするＲ１方向に回転自在に連結されていると共に軸支持部材２４及び軸支持部材２５が固着されている。
【００３６】
また、第２アーム部材３８は、一端部２８ではレール部材１６、レール部材１６にＨ１方向に案内されて転動するローラ部材２９及びローラ部材２９を回転自在に支持する軸部材３０を介して天窓枠体５の取付け枠１３に軸部材３０を中心とするＲ２方向に回転自在であってＨ１方向に直動自在に連結されていると共に中間部３５で第１アーム部材２６の中間部３６に軸部材３７を介して回転自在に連結されている。
【００３７】
さらに、起動アーム４２は、半クランク運動により第１アーム部材２６をその一端部２２を中心としてＲ１方向に回転させるように一端部３９で軸支持部材２５及び軸支持部材２５に支持された軸部材４１を介して第１アーム部材２６にＲ３方向に回転自在に連結されている。
【００３８】
また、回転体４５は、円板から成り、Ｒ４方向及びＲ５方向の回転により起動アーム４２に半クランク運動（軸部材４１を中心としたＲ３方向の揺動とＨ２方向の直動との合成運動）を生じさせるように起動アーム４２の他端部４３が軸部材４４を介して回転自在に連結されている。
【００３９】
さらに、電動モータ４６は、一方の壁部１２に直交する外枠１１の他方の壁部６５の内面に取り付けられており、回転体４５を回転させる。
【００４０】
また、禁止機構４８は、開口２が太陽電池モジュールパネルＰ１の本体部１７により閉鎖された状態で太陽電池モジュールパネルＰ１の取付け具１９に係合するようになっていると共に電動モータ４６による回転体４５のＲ４方向及びＲ５方向の回転に起因しない太陽電池モジュールパネルＰ１の本体部１７による開口２の閉鎖を解除する第２アーム部材３８の一端部２８を中心とするＲ２方向の回転を禁止する。
【００４１】
さらに、補助エアーシリンダ装置５６は、ピストンロッド４９、シリンダ５０及びシリンダ５０内に配されてピストンロッド４９の一端部に連結されたピストン（図示せず）を具備していると共にピストンロッド４９の他端部５１では軸支持部材１５及び軸支持部材１５に支持された軸部材５２を介して取付け枠１３にＲ６方向に回転自在に連結されていると共にシリンダ５０の一端部５３では軸支持部材２４及び軸支持部材２４に支持された軸部材５５を介して第１アーム部材２６にＲ７方向に回転自在に連結されている。
【００４２】
また、第１アーム部材２６は、その他端部６１でレール部材２０、レール部材２０にＨ１方向に案内されて転動するローラ部材６２及びローラ部材６２を回転自在に支持する軸部材６３を介して太陽電池モジュールパネルＰ１の本体部１７にＲ８方向に回転自在であってＨ１方向に直動自在に連結されており、第２アーム部材３８は、その他端部４７で取付け具１９及び取付け具１９に支持された軸部材６４を介してＲ９方向に太陽電池モジュールパネルＰ１の本体部１７に回転自在に連結されている。
【００４３】
さらに、電動モータ４６は、入力軸が電動モータ４６の出力回転軸に連結された歯車機構（図示せず）と、この歯車機構の出力軸に連結されていると共に回転体４５が固着された回転軸７０とを備えており、電動モータ４６の出力回転軸の回転を歯車機構及び回転軸７０を介して回転体４５に伝達して回転体４５をＲ４方向及びＲ５方向に回転させるようになっている。
【００４４】
また、禁止機構４８は、太陽電池モジュールパネルＰ１の取付け具１９に設けられた凹所７１と、回転体４５に設けられていると共に凹所７１に嵌入自在である突起７２を有した係合部材７３とを備えており、突起７２の凹所７１への嵌入（図５を参照）により第２アーム部材３８のその一端部２８を中心とするＲ２方向の回転を禁止するようになっている。
【００４５】
なお、凹所７１を、太陽電池モジュールパネルＰ１の取付け具１９に設ける代わりに、第２アーム部材３８の他端部４７に設けて実施してもよい。
【００４６】
さらに、補助エアーシリンダ装置５６は、その空気圧により第１アーム部材２６の一端部２２を中心とするＲ１方向の回転においてその立ち上がり方向の回転を補助する。
【００４７】
ここで、開閉装置１は、図７に示したように、上記構成に加えて、太陽電池モジュールパネルＰ１の本体部１７による開口２の図２に示したような閉鎖状態と図６に示したような開放状態とを検出する検出手段７５と、検出手段７５の検出結果に基づいて回転源の電動モータ４６の作動を制御する制御手段７６とを備えている。
【００４８】
この検出手段７５は、図２及び図３に示したように、太陽電池モジュールパネルＰ１の本体部１７による開口２の閉鎖状態を検出する閉鎖検出器７７と、太陽電池モジュールパネルＰ１の本体部１７による開口２の開放状態を検出する開放検出器７８とを備えており、閉鎖検出器７７は、回転体４５に取付けられていると共に突起７９を有した係合部材８０と、天窓枠体５の取付け枠１３に取付けられたリミットスイッチ８１とを備えており、開放検出器７８は、閉鎖検出器７７と共用の係合部材８０と、天窓枠体の取付け枠１３に取付けられたリミットスイッチ８３とを備えている。
【００４９】
そして、リミットスイッチ８１は、回転体４５のＲ４方向の回転における突起７９による作動で太陽電池モジュールパネルＰ１の本体部１７による開口２の閉鎖状態を検出するようになっており、リミットスイッチ８３は、回転体４５のＲ５方向の回転における突起７９による作動で太陽電池モジュールパネルＰ１の本体部１７による開口２の開放状態を検出するようになっている。
【００５０】
また、制御手段７６は、電動モータ４６の過電流を検出するようになっており、回転体４５のＲ４方向の回転において閉鎖検出器７７のリミットスイッチ８１からの検出結果の生起後に電動モータ４６の過電流を検出することにより電動モータ４６の作動を停止させるようになっている。
【００５１】
なお、これに代えて、閉鎖検出器７７のリミットスイッチ８１からの検出結果の生起に拘わらず電動モータ４６の過電流を検出することにより電動モータ４６の作動を停止させるようになっていてもよい。
【００５２】
或いは、閉鎖検出器７７のリミットスイッチ８１からの検出結果により電動モータ４６の作動を直ちに停止させるようになっていてもよい。
【００５３】
さらに、制御手段７６は、回転体４５のＲ５方向の回転において開放検出器７８のリミットスイッチ８３からの検出結果により電動モータ４６の作動を停止させるようになっている。
【００５４】
なお、この場合にも、開放検出器７８のリミットスイッチ８３からの検出結果の生起に拘わらず電動モータ４６の過電流を検出することにより電動モータ４６の作動を停止させるようになっていてもよい。
【００５５】
或いは、開放検出器７８のリミットスイッチ８３からの検出結果の生起後に電動モータ４６の過電流を検出することにより電動モータ４６の作動を停止させるようになっていてもよい。
【００５６】
このように、開閉装置１では、電動モータ４６の作動で回転体４５がＲ５方向に回転されると、起動アーム４２が軸部材４４を介してＨ２方向において引張り直動されて、これにより第１アーム部材２６が軸部材２３を支点としてＲ１方向において立ち上がり始め、第１アーム部材２６の立ち上がりにより、軸部材３７を介して第１アーム部材２６に連結された第２アーム部材３８もまた、補助エアーシリンダ装置５６の空気圧の補助をもって軸部材３０を支点としてＲ２方向において立ち上がり始めて太陽電池モジュールパネルＰ１の本体部１７が上昇され、更に回転体４５がＲ５方向に回転されて、最終的に、図６に示したように、太陽電池モジュールパネルＰ１の本体部１７が完全に上昇されて開口２が完全に開放状態となる。
【００５７】
また、リミットスイッチ８３が突起７９により作動され、これにより制御手段７６は、リミットスイッチ８３からの開口２の開放状態の検出結果で電動モータ４６の作動を停止させる一方、電動モータ４６の作動で回転体４５がＲ４方向に回転されると、起動アーム４２が軸部材４４を介してＨ２方向において押出し直動される。
【００５８】
これにより、第１アーム部材２６が軸部材２３を支点としてＲ１方向において倒れ始め、第１アーム部材２６の倒下により、軸部材３７を介して第１アーム部材２６に連結された第２アーム部材３８もまた補助エアーシリンダ装置５６の空気圧に抗して軸部材３０を支点としてＲ２方向において倒れ始めて太陽電池モジュールパネルＰ１の本体部１７が下昇される。
【００５９】
そして、更に回転体４５のＲ４方向の回転で太陽電池モジュールパネルＰ１の本体部１７が下降され開口２が略閉鎖されると、リミットスイッチ８１が図２及び図３に示すように突起７９により作動され、この作動後に更に回転体４５がＲ４方向に回転されて、最終的に、太陽電池モジュールパネルＰ１の本体部１７により開口２が完全に閉鎖されると共に図５に示すように突起７２が凹所７１へ嵌入され、突起７２の凹所７１への嵌入後に電動モータ４６の過電流を検出すると制御手段７６は電動モータ４６の作動を停止させるようになっている。
【００６０】
すなわち、天窓Ｍ１は、このように開閉装置１によって太陽電池モジュールパネルＰ１を上昇、下降させて開口２を開放状態や閉鎖状態とするようになっている。
【００６１】
次に、実施例１の作用効果について説明する。
【００６２】
このような実施例１の建物の屋根構造は、建物Ｂ１の屋根Ｙ１の開口２に開閉可能な天窓Ｍ１が設けられており、天窓Ｍ１は、設備用パネルとしての太陽電池モジュールパネルＰ１が設けられており、太陽電池モジュールパネルＰ１の表面が開閉前後に略同じ角度を保って開口２に形成される開口面に略直交する方向に開閉可能な開閉装置１を備えた構成とされている。
【００６３】
こうした構成なので、開閉可能な天窓Ｍ１を設けて換気が行えるうえに、屋根Ｙ１には、太陽電池モジュールパネルＰ１０，・・・だけでなく、天窓Ｍ１にも太陽電池モジュールパネルＰ１が設けられているため、できるだけ屋根Ｙ１全体を有効利用することができる。
【００６４】
また、天窓Ｍ１にも太陽電池モジュールパネルＰ１が設けられている。
【００６５】
このため、その分多くの面積で太陽光発電を行うことができ、そのうえ、開放時にも、太陽電池モジュールパネルＰ１の表面の角度が略同じなので、受ける太陽光の角度は略同じであり、屋根Ｙ１に設置された他の太陽電池モジュールパネルＰ１０，・・・と略同じ発電効率を保つことができる。
【００６６】
さらに、開閉装置１は、一端部２２で開口２の内側面に回転自在に連結される第１アーム部材２６と、一端部２８で開口２の内側面に回転自在且つ直動自在に連結されると共に中間部で第１アーム部材２６の中間部に回転自在に連結される第２アーム部材３８と、一端部３９で第１アーム部材２６に回転自在に連結される起動アーム４２と、起動アーム４２の他端部４３が回転自在に連結される回転体４５と、回転体４５を回転させる回転源としての電動モータ４６と、開口２が閉鎖された状態で設備用パネルとしての太陽電池モジュールパネルＰ１に係合されると共に電動モータ４６による回転体４５の回転に起因しない開口２の閉鎖を解除する第２アーム部材３８の一端部２８を中心とした回転を禁止する禁止機構４８とを備えている。
【００６７】
このため、天窓Ｍ１の設備用パネルとしての太陽電池モジュールパネルＰ１が開閉前後に略同じ角度を保つように開閉可能なのは勿論、閉鎖時に太陽電池モジュールパネルＰ１をしっかりと保持でき、それ故に、バタツキをなくし得、異音の発生をなくすことができる。
【実施例２】
【００６８】
次に、実施例２について説明する。
【００６９】
なお、実施例１で説明した内容と同一乃至均等な部分の説明については同一符号を付して説明する。
【００７０】
図８は、実施例２の建物の屋根構造を備えた建物Ｂ２の概略構成を示している。
【００７１】
この実施例２の建物Ｂ２では、屋根Ｙ２に、設備用パネルとしての緑化パネルＰ２０，・・・が設置されている。
【００７２】
そして、その中央部に天窓Ｍ２が設けられている。
【００７３】
この天窓Ｍ２は、開閉装置１によって開閉可能な設備用パネルとしての緑化パネルＰ２が設けられており、閉鎖状態では、他の緑化パネルＰ２０，・・・と表面の角度が略同一とされている。
【００７４】
また、緑化パネルＰ２は、開放状態としても、二点鎖線で示したように、他の緑化パネルＰ２０，・・・と表面の角度が略同一とされている。
【００７５】
すなわち、この開閉装置１は、緑化パネルＰ２の表面が開閉前後に略同じ角度を保って開口２に形成される開口面に略直交する方向に開閉可能なものである。
【００７６】
このことが、実施例１の建物Ｂ１と主に異なる。
【００７７】
このため、天窓Ｍ２にも緑化パネルＰ２が設けられているので、その分多くの面積で屋上緑化を行うことができ、そのうえ、開放時にも、緑化パネルＰ２の表面の角度が略同じなので、受ける太陽光の角度は略同じであり、屋根Ｙ２に設置された他の緑化パネルＰ２０，・・・と略同じ育成状態を保つことができる。
【００７８】
なお、他の構成及び作用効果については、実施例１と略同様であるので説明を省略する。
【実施例３】
【００７９】
次に、実施例３について説明する。
【００８０】
なお、実施例１で説明した内容と同一乃至均等な部分の説明については同一符号を付して説明する。
【００８１】
図９は、実施例３の建物の屋根構造を備えた建物Ｂ３の概略構成を示している。
【００８２】
この実施例３の建物Ｂ３では、屋根Ｙ３に、設備用パネルとしての防火パネルＰ３０，・・・が設置されている。
【００８３】
そして、その中央部に天窓Ｍ３が設けられている。
【００８４】
この天窓Ｍ３は、開閉装置１によって開閉可能な設備用パネルとしての防火パネルＰ３が設けられており、閉鎖状態では、他の防火パネルＰ３０，・・・と表面の角度が略同一とされている。
【００８５】
また、防火パネルＰ３は、開放状態としても、二点鎖線で示したように、他の防火パネルＰ３０，・・・と表面の角度が略同一とされている。
【００８６】
すなわち、この開閉装置１は、防火パネルＰ３の表面が開閉前後に略同じ角度を保って開口２に形成される開口面に略直交する方向に開閉可能なものである。
【００８７】
このことが、実施例１の建物Ｂ１と主に異なる。
【００８８】
このため、天窓Ｍ３にも防火パネルＰ３が設けられているので、その分多くの面積で屋根Ｙ３に防火性能を持たせることができる。
【００８９】
なお、他の構成及び作用効果については、実施例１と略同様であるので説明を省略する。
【実施例４】
【００９０】
次に、実施例４について説明する。
【００９１】
なお、実施例１で説明した内容と同一乃至均等な部分の説明については同一符号を付して説明する。
【００９２】
図１０は、実施例４の建物の屋根構造を備えた建物Ｂ４の概略構成を示している。
【００９３】
この実施例４の建物Ｂ４では、屋根Ｙ４に、設備用パネルとしての内部水貯留パネルＰ４０，・・・が設置されている。
【００９４】
そして、その中央部に天窓Ｍ４が設けられている。
【００９５】
この天窓Ｍ４は、開閉装置１によって開閉可能な設備用パネルとしての内部水貯留パネルＰ４が設けられており、閉鎖状態では、他の内部水貯留パネルＰ４０，・・・と表面の角度が略同一とされている。
【００９６】
また、内部水貯留パネルＰ４は、開放状態としても、二点鎖線で示したように、他の内部水貯留パネルＰ４０，・・・と表面の角度が略同一とされている。
【００９７】
すなわち、この開閉装置１は、内部水貯留パネルＰ４の表面が開閉前後に略同じ角度を保って開口２に形成される開口面に略直交する方向に開閉可能なものである。
【００９８】
ここで、内部水貯留パネルＰ４，Ｐ４０は、透明又は半透明のケーシング内に無色又は色付きの水を密閉したものである。
【００９９】
このことが、実施例１の建物Ｂ１と主に異なる。
【０１００】
このため、天窓Ｍ４にも内部水貯留パネルＰ４が設けられているので、その分多くの面積で屋根Ｙ４に意匠的美観を持たせることができる。
【０１０１】
なお、他の構成及び作用効果については、実施例１と略同様であるので説明を省略する。
【０１０２】
以上、図面を参照して、本発明を実施するための形態を実施例１〜４に基づいて詳述してきたが、具体的な構成は、これらの実施例１〜４に限らず、本発明の要旨を逸脱しない程度の設計的変更は、本発明に含まれる。
【０１０３】
例えば、上記した実施例１〜４では、説明が簡単なように、屋根Ｙ１，Ｙ２，Ｙ３，Ｙ４を陸屋根として実施したが、これに限定されず、傾斜屋根などで実施してもよい。
【０１０４】
また、上記した実施例１〜４では、開閉装置１を用いて実施したが、これに限定されず、設備用パネルとしての太陽電池モジュールパネルＰ１、緑化パネルＰ２、防火パネルＰ３、内部水貯留パネルＰ４の表面が開閉前後に略同じ角度を保って開口２に形成される開口面に略直交する方向に開閉可能なものであればよい。
【０１０５】
さらに、上記した実施例１〜４では、開閉装置として電動式のものを用いて実施したが、これに限定されず、手動式のものなどを用いて実施してもよい。
【０１０６】
また、上記した実施例１〜４では、天窓Ｍ１，Ｍ２，Ｍ３，Ｍ４として、設備用パネルとしての太陽電池モジュールパネルＰ１、緑化パネルＰ２、防火パネルＰ３、内部水貯留パネルＰ４が直接開閉するようにして実施したが、これに限定されず、これらのパネルを設置する開閉基盤を介して開閉するようにして実施してもよい。
【０１０７】
さらに、上記した実施例１〜４では、設備用パネルとしての太陽電池モジュールパネルＰ１と太陽電池モジュールパネルＰ１０，・・・、緑化パネルＰ２と緑化パネルＰ２０，・・・、防火パネルＰ３と防火パネルＰ３０，・・・、内部水貯留パネルＰ４と内部水貯留パネルＰ４０，・・・というように、単一種類の設備用パネルのみで実施したが、これに限定されず、複数種類の設備用パネルを組み合わせて実施してもよい。
【符号の説明】
【０１０８】
Ｂ１    建物
Ｂ２    建物
Ｂ３    建物
Ｂ４    建物
Ｙ１    屋根
Ｙ２    屋根
Ｙ３    屋根
Ｙ４    屋根
Ｍ１    天窓
Ｍ２    天窓
Ｍ３    天窓
Ｍ４    天窓
Ｐ１    太陽電池モジュールパネル（設備用パネル）
Ｐ１０  太陽電池モジュールパネル（設備用パネル）
Ｐ２    緑化パネル（設備用パネル）
Ｐ２０  緑化パネル（設備用パネル）
Ｐ３    防火パネル（設備用パネル）
Ｐ３０  防火パネル（設備用パネル）
Ｐ４    内部水貯留パネル（設備用パネル）
Ｐ４０  内部水貯留パネル（設備用パネル）
１      開閉装置
２      開口
【図１】
0005623870.tif 000002
【図２】
0005623870.tif 000003
【図３】
0005623870.tif 000004
【図４】
0005623870.tif 000005
【図５】
0005623870.tif 000006
【図６】
0005623870.tif 000007
【図７】
0005623870.tif 000008
【図８】
0005623870.tif 000009
【図９】
0005623870.tif 000010
【図１０】
0005623870.tif 000011